(57)【特許請求の範囲】
【請求項１】
椅子と、
前記椅子の背面側に設けられ、該椅子と反対側から立位姿勢で利用可能なカウンターと、
前記椅子と前記カウンターとの間に、前記椅子と当接するようにして設けられた区画部と、を備え、
前記区画部は、前記椅子の上部から前記カウンターの天板の上方に突出するように設けられるとともに、前記椅子に着座する着座者の背を支持する背凭れ部の後方に配置されていることを特徴とする椅子システム。
【請求項２】
椅子と、
前記椅子の背面側に設けられ、該椅子と反対側から立位姿勢で利用可能なカウンターと、
前記椅子と前記カウンターとの間に、前記椅子と当接するようにして設けられた区画部と、を備え、
前記区画部は、前記椅子の上部から前記カウンターの天板の上方に突出するように設けられ、
前記天板は、前記区画部との間に隙間を有して配置されていることを特徴とする椅子システム。
【請求項３】
椅子と、
前記椅子の背面側に設けられ、該椅子と反対側から立位姿勢で利用可能なカウンターと、
前記椅子と前記カウンターとの間に、前記椅子と当接するようにして設けられた区画部と、を備え、
前記区画部は、前記椅子の上部から前記カウンターの天板の上方に突出するように設けられ、
前記区画部は、パネル状に形成されたパネル体であることを特徴とする椅子システム。
【請求項４】
前記椅子と前記パネル体とを連結する第一連結部材と、
前記カウンターと前記パネル体とを連結する第二連結部材と、を備え、
前記パネル体の外周端部には、該パネル体の内方に向けて凹むように溝が形成され、
前記第一連結部材及び前記第二連結部材は、前記パネル体に対して前記溝に取り付けられていることを特徴とする請求項３に記載の椅子システム。
【請求項５】
前記区画部は、複数の前記パネル体を有し、
前記パネル体は、前記椅子の前面側の空間を包むように配置されていることを特徴とする請求項３または４に記載の椅子システム。
【発明の詳細な説明】
【技術分野】
【０００１】
本発明は、椅子システムに関するものである。
【背景技術】
【０００２】
一般に、オフィスや公共施設等における空間では、複数のソファーやテーブルが設けられ、ソファーに座って打合せ等をすることがある。このようなソファーが設けられた構成として、壁に設けられたカウンターテーブルと、カウンターテーブルの下方に収容可能なソファーと、を備えたソファーシステムが提案されている（下記特許文献１参照）。
【先行技術文献】
【特許文献】
【０００３】
【特許文献１】実開昭６１−１７４４５４号公報
【発明の概要】
【発明が解決しようとする課題】
【０００４】
上記の特許文献１に記載のソファーシステムでは、多くの利用者が集まった場合には、ソファーに座れない人が生じてしまう。このため、例えばソファーに座れない人のために、他の空間に配置されたソファーを移動させる等して対応せざるを得ない。よって、ソファー等の椅子の数以上の利用者が集まって執務をする際に、簡易的に対応できないという問題点がある。
【０００５】
また、前方の壁面にモニターが設置され、利用者がこのモニターを見て会議をすることがある。このような会議において多くの利用者が集まった場合に、前方等の同一方向を向いて執務可能なシステムが望まれている。
【０００６】
本発明は、上記事情に鑑みてなされたものであり、多くの利用者に容易に対応できるとともに、多くの利用者が同一方向を向いて執務可能な椅子システムを提供するものである。
【課題を解決するための手段】
【０００７】
上記目的を達成するために、本発明は以下の手段を採用している。
すなわち、本発明に係る椅子システムは、椅子と、前記椅子の背面側に設けられ、該椅子と反対側から立位姿勢で利用可能なカウンターと、前記椅子と前記カウンターとの間に、前記椅子と当接するようにして設けられた区画部と、を備え、前記区画部は、前記椅子の上部から前記カウンターの天板の上方に突出するように設けられるとともに、前記椅子に着座する着座者の背を支持する背凭れ部の後方に配置されていることを特徴とする。
【０００８】
このように構成された椅子システムでは、利用者は、椅子に着座して執務をすることができるとともに、カウンターを利用して執務をすることもできる。よって、一部の利用者は椅子に着座しつつ、他の利用者はカウンターを利用しつつ執務をすることができるため、多くの利用者の執務に容易に対応することができる。
また、カウンターは、椅子の背面側に設けられ、椅子と反対側から立位姿勢で利用可能である。よって、椅子に着座する利用者及びカウンターを利用する利用者は共に、椅子の前面側を向いて執務することができる。
また、椅子とカウンターとの間に設けられた区画部は、その上部が、カウンターの天板よりも上方に設けられている。よって、天板に載置された物品が椅子側に移動しても、物品の移動が区画部により抑制されるため、物品が誤って椅子側に落下することが抑制される。また、椅子に着座する着座者が天板上を見ようとしても、着座者の視界が区画部により妨げられるため、カウンターの利用者は着座者の視線を感じずに作業することができる。よって、カウンターの利用者の作業性を良好とすることができる。
【００１１】
また、本発明に係る椅子システムは、椅子と、前記椅子の背面側に設けられ、該椅子と反対側から立位姿勢で利用可能なカウンターと、前記椅子と前記カウンターとの間に、前記椅子と当接するようにして設けられた区画部と、を備え、前記区画部は、前記椅子の上部から前記カウンターの天板の上方に突出するように設けられ、前記天板は、前記区画部との間に隙間を有して配置されていてもよい。
【００１２】
このように構成された椅子システムでは、天板は区画部との間に隙間を有して配置されているため、カウンターの利用者は、天板上に物品を載置する際には、隙間側から離間した場所に物品を載置する。よって、椅子の利用者から天板上に載置した物品までの距離を確保することができ、椅子の利用者が意図せず物品に接触して、物品を落下させてしまうことを防止することができる。
【００１３】
また、本発明に係る椅子システムは、椅子と、前記椅子の背面側に設けられ、該椅子と反対側から立位姿勢で利用可能なカウンターと、前記椅子と前記カウンターとの間に、前記椅子と当接するようにして設けられた区画部と、を備え、前記区画部は、前記椅子の上部から前記カウンターの天板の上方に突出するように設けられ、前記区画部は、パネル状に形成されたパネル体であってもよい。
【００１４】
このように構成された椅子システムでは、区画部は、パネル状に形成されたパネル体であるため、区画部における椅子側からカウンター側に向かう方向の長さを抑えることができる。よって、椅子とカウンターとを近接させつつ区画することができるため、コンパクトな構成とすることができる。
【００１５】
また、本発明に係る椅子システムは、前記椅子と前記パネル体とを連結する第一連結部材と、前記カウンターと前記パネル体とを連結する第二連結部材と、を備え、前記パネル体の外周端部には、該パネル体の内方に向けて凹むように溝が形成され、前記第一連結部材及び前記第二連結部材は、前記パネル体に対して前記溝に取り付けられていてもよい。
【００１６】
このように構成された椅子システムでは、第一連結部材及び第二連結部材がパネル体に形成された溝に取り付けられることで、パネル体とカウンター及び椅子とは連結される。第一連結部材及び第二連結部材が取り付けられる溝は、パネル体の外周端部に沿ってパネル体の内方に向けて凹むように形成されているため目立つことがない。よって、外観を良好とすることができる。
【００１７】
また、本発明に係る椅子システムは、前記区画部は、複数の前記パネル体を有し、前記パネル体は、前記椅子の前面側の空間を包むように配置されていてもよい。
【００１８】
このように構成された椅子システムでは、椅子の前面側の空間は、複数のパネル体により包まれるように形成されているため、椅子に着座する利用者の独立性、適度な閉塞感を確保することができる。
【発明の効果】
【００１９】
本発明に係る椅子システムによれば、多くの利用者に容易に対応できるとともに、多くの利用者が同一方向を向いて執務可能とすることができる。
【図面の簡単な説明】
【００２０】
【図１】一実施形態におけるソファーシステムの一例を示す斜視図である。
【図２】一実施形態におけるソファーシステムの一例を示す側面図である。
【図３】パネル体の構成を示す斜視展開図である。
【図４】パネル体の板厚方向中間部における半断面図である。
【図５】パネル体の端部を示す上面図である。
【図６】パネル体の直線部の構造を示す断面図である。
【図７】パネル体のコーナー部の構造を示す断面図である。
【図８】基材の表面に沿って設けられたクッション材を示す断面図であり、（ａ）は表皮材を非装着の状態におけるクッション材の断面図、（ｂ）は表皮材を装着した状態におけるクッション材の断面図である。
【図９】パネル体の下部の角部に設けられた支持脚体、およびパネル体どうしの下部における連結構造の一例を示す斜視図である。
【図１０】パネル体どうしの下部における連結構造を示す断面図である。
【図１１】パネル体どうしの上部における連結構造の一例を示す斜視図である。
【図１２】パネル体どうしの連結部分の構造を示す断面図である。
【図１３】ソファーとパネル体との連結部分の構造を示す側面図である。
【図１４】図１３の要部の拡大図である。
【図１５】ソファーとパネル体との連結部分の構造のうち、隣接配置された複数のパネル体の端部の断面図である。
【図１６】ソファーとパネル体とを連結する上側の第一連結部材の斜視図である。
【図１７】ソファーとパネル体との連結部分の構造のうち、隣接配置された複数のパネル体の中間部分の断面図である。
【図１８】図１３の要部の拡大図である。
【図１９】ソファーとパネル体とを連結する下側の第一連結部材の斜視図である。
【図２０】カウンターとパネル体との連結部分の構造を示す側面図である。
【図２１】ソファーシステムの後面図である。
【図２２】カウンターとパネル体との連結部分の上部の構造のうち、隣接配置された複数のパネル体の端部の断面図である。
【図２３】カウンターとパネル体との連結部分の上部の構造のうち、隣接配置された複数のパネル体の中間部分の断面図である。
【図２４】カウンターとパネル体との連結部分の下部の構造のうち、隣接配置された複数のパネル体の端部の断面図である。
【図２５】カウンターとパネル体との連結部分の下部の構造のうち、隣接配置された複数のパネル体の中間部分の断面図である。
【発明を実施するための形態】
【００２１】
以下、本発明の実施形態について説明する。本実施形態では、椅子システムの一例として、座面及び背凭れ部が柔らかい材料で構成されたソファーを用いてソファーシステムについて説明する。
図１は、本実施形態におけるソファーシステムの一例を示す斜視図である。図２は、本実施形態におけるソファーシステムの一例を示す側面図である。なお、図２では、後述するカウンター用チェアーの図示を省略している。
図１，２に示すように、ソファーシステム１は、ソファーセット１０と、ソファーセット１０の背面側に配置された３枚のパネル体１１、パネル体１１の背面側に配置されたカウンター２００と、カウンター２００を利用する利用者が着座可能なカウンター用チェアー２１０と、ソファーセット１０の正面に配置された壁Ｗに設けられたスクリーンＳと、を備えている。
このソファーシステム１では、ソファーセット１０及びカウンター２００を利用する複数の利用者が、スクリーンＳに映し出される映像を見ながら会議等を行うことができる。
ここで、便宜上、ソファーシステム１において、ソファーセット１０が配置される側（図１に示す紙面右側）を前側とし、カウンター２００が配置される側（図１に示す紙面左側）を後側とする。また、前後方向と直交する水平方向を左右方向とする。
【００２２】
（ソファーセット）
本実施形態では、ソファーセット１０は、間隔を有して配置された複数のソファー（椅子）１００と、ソファー１００の正面に配置された複数のテーブル１１０と、ソファー１００間に配置されたサイドテーブル１１５と有している。サイドテーブル１１５上には、プロジェクター１１６が設置されている。このプロジェクター１１６は、壁Ｗに設けられたスクリーンＳに映像を投影する。なお、本実施形態では、ソファー１００、テーブル１１０は、それぞれ２個ずつ設けられている。
【００２３】
各ソファー１００は、床面上に設置され上方に向かって延びる複数の脚部１０１と、これら脚部１０１に支持された座部１０２と、脚部１０１に支持され着座者の背を受ける背凭れ部１０３とを有している。座部１０２及び背凭れ部１０３は、ウレタン等の弾性変形可能な材料で構成されている。
【００２４】
脚部１０１は、ソファー１００の奥行方向および幅方向に間隔を有して設けられている。これら脚部１０１の上端は、座部１０２の下面に設けられた支持プレート１０５に取り付けられている。この座部１０２の上面は、利用者が着座可能な座面とされている。
【００２５】
背凭れ部１０３は、湾曲形成された板状に形成され、下端が座部１０２に連結されるとともに座部１０２から上方に向かって延びている。背凭れ部１０３に沿って、複数のクッション１０４が配置されている。
【００２６】
（パネル体）
本実施形態では、ソファー１００の背面に沿って、３枚のパネル体（区画部）１１が隣接配置されている。３枚のパネル体１１のうち真ん中に配置されたパネル体１１は、平面板状に形成されている。また、３枚のパネル体１１のうち両端に配置されたパネル体１１は、平面視において湾曲した湾曲形状とされている。以下においては、パネル体１１が平面板状であるものとして説明を行う。
【００２７】
図３は、パネル状の基材の構成を示す斜視展開図である。図４は、基材の板厚方向中間部における半断面図である。図５は、基材の端部を示す上面図である。図６は、基材の直線部の構造を示す断面図である。図７は、基材のコーナー部の構造を示す断面図である。
図３に示すように、パネル体１１は、パネル基材１２と、パネル基材１２の両面に沿って設けられたクッション材１３と、パネル基材１２およびクッション材１３を覆う表皮材１４と、固定部材３０と、を備えている。
【００２８】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２９】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の複数の孔１５ｈが千鳥状に組み合わされたハニカム構造とされている。
【００３０】
（フレーム）
図３、図４に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００３１】
図５〜図７に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５とされている。
このようにして、パネル基材１２は、その外周端部に沿って連続し、パネル基材１２の内方に向けて凹んだ溝２５を有している。
【００３２】
ここで、図４に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
【００３３】
Ｌ字状のブラケット２２の第一プレート部２２ａ、第二プレート部２２ｂには、雌ネジ部２９が形成されている。またブラケット２２の第一プレート部２２ａに沿う枠材２１Ａまたは２１Ｂの基部２１ｅと、第二プレート部２２ｂに沿う枠材２１Ｃまたは２１Ｄの基部２１ｅには、それぞれ、雌ネジ部２９に対向した位置に、貫通孔２８が形成されている。
【００３４】
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００３５】
なおここで、図３では、平面板状のパネル体１１の例を示したが、パネル体１１が平面視において略Ｌ字状、略Ｃ字状等に湾曲形成された構成の場合には、フレーム２０の上下の枠材２１Ｃ，２１Ｄまたは左右の枠材２１Ａ，２１Ｂを，パネル体１１の形状に合わせて湾曲させる。ソファーシステム１の両端に配置されたパネル体１１の両端部は、ソファーシステム１の幅方向外側に向かうにしたがって次第に前方に向かうように湾曲している。つまり、隣接配置された３枚のパネル体１１は、平面視において、カウンター２００側に向かって膨らむように配置されている。
【００３６】
図６、図７に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００３７】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００３８】
図８は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図３に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００３９】
図６、図８に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図８（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００４０】
（表皮材）
図６、図８に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
これにより、表皮材１４が角部１６ｖに突き当たった部分で角部１６ｖの反発力によって押圧される。したがって、凹部１７の形状が維持されるとともに、表皮材１４がクッション材１３の外表面１３ｆに沿った方向で図８（ｂ）中に矢印Ｔで示す方向に伸長され、表皮材１４が弛むのを抑えることができる。
【００４１】
また、図６、図７に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
このように、クッション材１３および表皮材１４の縁部のうち芯材１５の外周面側に配置される部分は、芯材１５の外周端面（縁部）１５ａよりも外方に向かって突出する突出部１３ｔ，１４ｔとされている。
【００４２】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００４３】
ここで、図３に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００４４】
図６に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００４５】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
【００４６】
連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。
【００４７】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００４８】
さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材等を装着するための保持溝３５が形成されている。
【００４９】
図４に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。
【００５０】
図７に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００５１】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００５２】
連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たって部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００５３】
図４に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図７に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図４に示すように、第一直線状部４１Ａの下端部には、突起片４３が下方に向けて突出形成されている。この突起片４３が、直線部固定部材３０Ｓの上端部において、連結プレート部３２と突条３４との間の保持溝３５（図６参照）に挿入されている。
また、図４に示すように、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００５４】
（支持脚体）
図４に示すように、上記したようなパネル体１１の下部のコーナー部には、コーナー部固定部材３０Ｃとして、支持脚体５０が設けられている。この支持脚体５０は、床面に接地することで、パネル体１１を床面上に立設させる。
支持脚体５０は、フレーム２０の下部端部の溝２５内に収容される下部支持部５１と、下部支持部５１の一端から上方に延び、フレーム２０の側部の下端部の溝２５内に収容される側部支持部５２と、下部支持部５１よりも下方に延びる支持脚部５３と、を一体に備えている。
【００５５】
下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、溝２５の基部２１ｅの所定の位置に形成された雌ネジ孔部２９にねじ込まれるようになっている。これにより、支持脚体５０が、パネル体１１に固定される。
【００５６】
支持脚部５３は、下部支持部５１よりも下方に延び、その下端部に、高さ調整ネジ４９がねじ込み可能とされている。
【００５７】
（カウンター）
図１，２に示すように、カウンター２００は、パネル体１１の後面１１Ａに沿って配置されている。カウンター２００は、床面から立設された複数の支持脚２０１と、支持脚２０１の上部同士を連結する天板支持杆２０２と、支持脚２０１の下部同士を連結する前後杆２０３と、前後杆２０３同士を連結する左右杆２０４と、天板支持杆に支持される天板２０５とを有している。カウンター２００の後方には、複数のカウンター用チェアー２１０が配置されている。
【００５８】
各支持脚２０１は、管状に形成されている。支持脚２０１は、前後方向に離間して配置されている。また、支持脚２０１は、左右方向において、隣接配置された３枚のパネル体１１の左右両端に対応する位置と、隣接するパネル体１１の境界に対応する位置にそれぞれ配置されている。
【００５９】
天板支持杆２０２は、前後方向に配置された支持脚２０１の上部同士を連結している。天板支持杆２０２は、例えば、板金を折曲加工することにより形成されている。この天板支持杆２０２は、支持脚２０１の上部に溶接等により接合されている。
【００６０】
天板支持杆２０２には、側方に延びる支持板２０２Ａ（図２２参照）が設けられている。左右方向両端部に配置される天板支持杆２０２には、左右方向向中央側に向かって延びる支持板２０２Ａ（図２２参照）が設けられている。左右方向中央側に配置される天板支持杆２０２には、左右両側に向かって延びる支持板２０２Ａ（図２３参照）が設けられている。
【００６１】
前後杆２０３は、前後方向に配置された支持脚２０１の下部同士を連結している。前後杆２０３は、例えば、板金を折曲加工することにより形成されている。
【００６２】
前後杆２０３には、側方に延びる取付部２０３Ａ（図２４参照）が設けられている。左右方向両端部に配置される前後杆２０３には、左右方向中央側に向かって延びる取付部２０３Ａ（図２４参照）が設けられている。左右方向中央側に配置される前後杆２０３には、左右両側に向かって延びる取付部２０３Ａ（図２５参照）が設けられている。
【００６３】
左右杆２０４は、前後杆２０３の取付部２０３Ａを内包するように配置されるとともに、取付部２０３Ａに螺子２０４Ｚ（図２４，２５参照）で螺合されている。これにより、左右杆２０４と前後杆２０３とは、連結されている。左右杆２０４には、左右方向に離間して床面から立設された補助脚２０４Ａが設けられている。
【００６４】
天板２０５は、板状に形成されている。天板２０５の上面２０５Ｔは、作業面とされている。天板２０５の前端２０５Ａは、左右方向中央部において直線状に延び、左右方向両端部において側方に向かうにしたがって次第に前方に向かうように湾曲形成されている。
【００６５】
天板２０５には、天板支持杆２０２の支持板２０２Ａの設けられた取付孔２０２Ｘ（図２２，２３参照）から挿通された螺子２０２Ｚ（図２２，２３参照）が螺合されている。これにより、天板２０５は、パネル体１１の後面１１Ａに沿って配置されている。
【００６６】
天板２０５の高さは、例えば、床面から約９００〜１０００ｍｍとされている。このため、利用者は、ソファー１００と反対側（後側）から立位姿勢でカウンター２００の天板２０５を利用することができる。また、平面視において、天板２０５の内方に支持脚２０１は配置されている。なお、天板２０５の高さは、９００〜１０００ｍｍに限られず、立位姿勢で利用可能な高さに設定されていればよい。
【００６７】
次に、各部材同士の連結構造について説明する。
（パネル体同士の連結構造）
まず、パネル体１１，１１同士の連結構造について説明する。
図９は、パネル体１１の下部の角部に設けられた支持脚体５０、およびパネル体１１，１１どうしの下部における連結構造の一例を示す斜視図である。図１０は、パネル体１１，１１どうしの下部における連結構造を示す断面図である。
図９、図１０に示すように、支持脚体５０には、隣接して配置される他のパネル体１１と連結するための下側連結部５５の一端が係止可能とされている。このため、支持脚体５０には、下部支持部５１よりも下方に膨出した膨出部５６が一体に形成されている。
【００６８】
そして、この膨出部５６には、パネル体１１の厚さ方向に沿った支持脚体５０の中間部に、プレート状の下側連結部５５の一端が挿入可能なスリット５７が形成されている。スリット５７は、膨出部５６において他方のパネル体１１に隣接する側の側面５６ａおよび下面５６ｂに開口している。
図１０に示すように、スリット５７の上部には、後述する下側連結部５５の突起部５８Ａが挿入される挿入凹部５７ａが、上方に向けて凹んで形成されている。そして、スリット５７の上部において、膨出部５６の側面５６ａ側には、挿入凹部５７ａに隣接して、下方に向けて突出する突起部５７ｂが形成されている。
【００６９】
また、膨出部５６には、スリット５７内に挿入された下側連結部５５を係止するための、係止孔５６ｈが、パネル体１１の厚さ方向に沿って貫通形成されている。
【００７０】
下側連結部５５は、両端部にそれぞれ貫通孔５５ｈが形成されている。また、下側連結部５５の両端部には、それぞれ、上方に向けて突出する突起部５８Ａが形成されている。また、下側連結部５５には、両端部の突起部５８Ａ，５８Ａの間に、上方に向けて突出する中央突起部５８Ｂが形成されている。そして、中央突起部５８Ｂと、その両側の突起部５８Ａとの間には、下方に向けて凹となる係合凹部５８Ｃが形成されている。
【００７１】
突起部５７ｂおよび係合凹部５８Ｃは、膨出部５６の側面５６ａ側、中央突起部５８Ｂ側が、上下方向に延在する鉛直面５７ｆ、５８ｆとされ、その反対側が、上方に行くにしたがい鉛直面５７ｆ、５８ｆから離間する傾斜面５７ｇ、５８ｇとされている。これにより、突起部５７ｂおよび係合凹部５８Ｃは、いずれも下方に行くにしたがいその幅寸法が漸次小さくなるテーパ状をなしている。
この係合凹部５８Ｃに、スリット５７の突起部５７ｂが嵌め込まれることで、下側連結部５５と支持脚体５０とを、パネル体１１，１１が隣り合う方向において、容易に位置決めできるようになっている。
【００７２】
互いに隣接するパネル体１１，１１どうしを連結するには、貫通孔５５ｈが形成された下側連結部５５の両端部を、支持脚体５０のスリット５７に挿入する。下側連結部５５の両端部の係合凹部５８Ｃに、それぞれ、両側のパネル体１１に設けられた支持脚体５０の突起部５７ｂを嵌め込む。ここで、突起部５７ｂおよび係合凹部５８Ｃは、いずれも下方に行くにしたがいその幅寸法が漸次小さくなるテーパ状をなしている。したがって、係合凹部５８Ｃに突起部５７ｂが挿入されることで、下側連結部５５と支持脚体５０とが、パネル体１１，１１が隣り合う方向において互いに位置決めされる。これにより、下側連結部５５に形成された両端部の貫通孔５５ｈと、支持脚体５０の係止孔５６ｈとが連通する。そこで、これら貫通孔５５ｈ及び係止孔５６ｈに連結ボルト５９を挿通・締結させる。このように、下側連結部５５が互いに隣接する１１，１１の支持脚体５０，５０どうしを連結することによって、パネル体１１，１１どうしが下端部で連結される。
これら支持脚体５０，５０と、下側連結部５５とが、隣接するパネル体１１の下端部どうしを連結する下側連結部を構成している。
【００７３】
図１１は、パネル体１１，１１どうしの上部における連結構造の一例を示す斜視図である。
この図１１に示すように、互いに隣接するパネル体１１，１１どうしは、それぞれの上端部どうしを、上側連結部６１によって連結することができる。
この上側連結部６１は、コーナーキャップ４０に代えて、コーナー部固定部材３０Ｃに取り付けられる。上側連結部６１の両端部６１ａ，６１ａには、ボルト挿通孔６２が形成されている。
また、上側連結部６１の中間部６１ｂの下面側には、互いに隣接するパネル体１１，１１の上部に配置されたコーナー部固定部材３０Ｃ．３０Ｃの間隔を規制する間隔規制部６３が下方に向けて突出形成されている。間隔規制部６３が、互いに隣接するパネル体１１，１１の上部に配置されたコーナー部固定部材３０Ｃ，３０Ｃの間に挿入されることで、パネル体１１，１１どうしの間隔を規制することができる。
このような上側連結部６１によって、互いに隣接するパネル体１１，１１の上端部どうしを連結するには、以下のようにする。
まず、上側連結部６１を、互いに隣接するパネル体１１，１１の上部に配置されたコーナー部固定部材３０Ｃ．３０Ｃ上に載せる。このとき、上側連結部６１の両端部６１ａ，６１ａの下面が、コーナー部固定部材３０Ｃの第二直線状部３８Ｂに対し、側部プレート部３６，３６との間に挿入され、連結プレート部３７に突き当てられている。そして、間隔規制部６３が、互いに隣接するパネル体１１，１１の上部に配置されたコーナー部固定部材３０Ｃ，３０Ｃの間に挿入されることで、パネル体１１，１１どうしの間隔を規制することができる。より具体的には、間隔規制部６３の両側面６３ａ，６３ａに、コーナー部固定部材３０Ｃの第一直線状部３８Ａの連結プレート部３７に突き当てることで、パネル体１１，１１どうしの間隔を適正に位置決めできる。この状態で、ボルト挿通孔６２に挿通させたボルト６４により、上側連結部６１と、コーナー部固定部材３０Ｃ、枠材２１Ｃ（図４参照）、ブラケット２２の第二プレート部２２ｂ（図４参照）を一体に締結する。これによって、互いに隣接するパネル体１１，１１の上端部どうしが連結される。
このように、下側連結部５５と上側連結部６１により、パネル体１１どうしを固定する連結部材が構成されている。
また、一のパネル体１１と下側連結部５５及び上側連結部６１とにより、他のパネル体１１に連結可能なパネルユニットが構成されている。
【００７４】
図１２は、パネル体１１，１１どうしの連結部分の構造を示す断面図である。
図１２に示すように、一のパネル体１１の外周端部１１ｓと、他のパネル体１１の芯材１５の外周端面１５ａとは、距離を保持した状態で、パネル体１１，１１どうしは固定されている。一方で、パネル体１１の芯材１５の外周端面１５ａよりも外方に突出するクッション材１３，１３の突出部１３ｔ，１３ｔどうしは、表皮材１４，１４の突出部１４ｔ，１４ｔを介在させて当接している。クッション材１３，１３の突出部１３ｔ，１３ｔどうしは互いに対向方向に押圧し合い、突出部１３ｔ，１３ｔの先端部分は丸くなるように弾性変形している。これにより、当接している突出部１３ｔ，１３ｔの当接面積は大きくなる。
【００７５】
（ソファーとパネル体との連結構造）
次に、ソファー１００とパネル体１１との連結構造について説明する。
図１３は、ソファー１００とパネル体１１との連結部分の構造を示す側面図である。図１４は、図１３の要部の拡大図である。図１５は、ソファー１００とパネル体１１との連結部分の構造のうち、隣接配置された複数のパネル体１１の端部の断面図である。図１６は、ソファー１００とパネル体１１とを連結する上側の第一連結部材の斜視図である。図１７は、ソファー１００とパネル体１１との連結部分の構造のうち、隣接配置された複数のパネル体１１の中間部分の断面図である。
【００７６】
図１３から図１７に示すように、ソファー１００の上部とパネル体１１の上部とは什器上連結部材（第一連結部材）７１を介して連結されている。
【００７７】
什器上連結部材７１は、第一プレート部７１Ａと、第一プレート部７１Ａに連結された第二プレート部７１Ｂとを有している。第一プレート部７１Ａは、パネル体１１の幅方向端部の溝２５に設けられている。第一プレート部７１Ａは、直線部固定部材３０Ｓに取り付けられ、ソファー１００側に延びている。第二プレート部７１Ｂは、ソファー１００の背凭れ部１０３の上端部を係止する。
【００７８】
第一プレート部７１Ａは、直線部固定部材３０Ｓの突条３４に沿って配置される突起係合部７２と、突起係合部７２の端部から屈曲し一の突条３４Ａ（３４）における他の突条３４Ｂ（３４）に対向する側に沿って配置される側壁部７３とを有している。
【００７９】
突起係合部７２は、他の突条３４Ｂにおける溝２５の基部２１ｅを向く面に沿って配置されている。また、突起係合部７２の端部は、他の突条３４Ｂが設けられた側の側部プレート部３１Ｂに突き当たっている。
【００８０】
側壁部７３において、一の突条３４Ａが設けられた側の側部プレート部３１Ａを向く面には、緩衝部７３Ａが設けられている。緩衝部７３Ａは、側部プレート部３１Ａに向かって凸となる形状とされるとともに、側部プレート部３１Ａに当接している。緩衝部７３Ａとして、弾性変形可能なゴム等の樹脂を採用することができる。ここで、什器上連結部材７１に対してソファー１００側への力が作用した場合には、側壁部７３には緩衝部７３Ａがあるため、側壁部７３の側部プレート部３１Ａへの接触、衝突を抑制することができる。これにより、側壁部７３及び側部プレート部３１Ａの破損が抑制される。
【００８１】
さらに、第一プレート部７１Ａは、側壁部７３の端部からソファー１００が配置される側に向かって屈曲して延びる湾曲壁部７４と、湾曲壁部７４の端部に連続して延びる延出壁部７５とを有している。これら突起係合部７２、側壁部７３、湾曲壁部７４及び延出壁部７５は、一体に形成されている。
【００８２】
湾曲壁部７４は、パネル体１１の外周端部１３ｓに沿って配置されている。また、延出壁部７５は、ソファー１００が配置される側のパネル体１１の表皮材１４に沿って配置されている。
【００８３】
この第一プレート部７１Ａにおいて、突起係合部７２が突条３４Ｂに当接しているため、什器上連結部材７１は溝２５から抜ける方向の移動が規制される。また、突起係合部７２の端部が側部プレート部３１Ｂに突き当たっているため、什器上連結部材７１はソファー１００側と反対側への移動が規制されている。また、側壁部７３に設けられた緩衝部７３Ａは側部プレート部３１Ａに当接しているため、什器上連結部材７１はソファー１００側への移動が規制されている。このようにして、第一プレート部７１Ａは、溝２５に配置された直線部固定部材３０Ｓに取り付けられている。
【００８４】
第二プレート部７１Ｂは、第一プレート部７１Ａの延出壁部７５よりも背面側に配置される取付壁部７６と、取付壁部７６の上端からソファー１００側に向かって延びる上壁部７７とを有している。
【００８５】
さらに、第二プレート部７１Ｂは、上壁部７７の端部からソファー１００側に向かうにしたがって下方に向かうように湾曲した湾曲壁部７８と、湾曲壁部７８の下端から下方に向かって延びる垂下壁部７９とを有している。これら取付壁部７６、上壁部７７、湾曲壁部７８及び垂下壁部７９は、一体に形成されている。
【００８６】
本実施形態では、第一プレート部７１Ａと第二プレート部７１Ｂとは、互いに延出壁部７５と取付壁部７６とが溶接により連結されている。
【００８７】
什器上連結部材７１において、取付壁部７６はパネル体の前面に沿って配置され、取付壁部７６と連結された延出壁部７５はソファー１００の背凭れ部１０３の背面に沿って配置されている。上壁部７７及び湾曲壁部７８は、背凭れ部１０３の上端部に沿って配置されている。垂下壁部７９は、背凭れ部１０３の前面に沿って配置されている。このようにして、第一プレート部７１Ａの延出壁部７５及び第二プレート部７１Ｂは、背凭れ部１０３の上端部を上下方向に係止している。
【００８８】
このとき、パネル体１１における什器上連結部材７１の湾曲壁部７４が配置される側のクッション部材１３Ｐは、湾曲壁部７４によりパネル体１１の幅方向内側に向かって押圧されている。これにより、什器上連結部材７１が配置される側のクッション部材１３Ｐの幅寸法は、什器上連結部材７１が配置されない側のクッション部材１３Ｑの幅寸法よりも短くなる。また、クッション部材１３Ｑの端部と、クッション部材１３Ｐに沿って配置された什器上連結部材７１の湾曲壁部７４の端面とは、面一とされている。
【００８９】
また、什器上連結部材７１が配置されない側のクッション部材１３Ｑの突出部１３ｔおよびクッション材１３Ｑと対向するように隣接配置されたパネル体１１のクッション材１３の突出部１３ｔは、互いに対向方向に押圧し合う。これにより、突出部１３ｔ，１３ｔの先端部分は丸くなるように弾性変形している。これにより、当接している突出部１３ｔ，１３ｔの当接面積は大きくなる。
また、什器上連結部材７１が配置される側のクッション部材１３Ｐの突出部１３ｔおよびクッション材１３Ｐと対向する他のパネル体１１のクッション材１３の突出部１３ｔは、什器上連結部材７１の湾曲壁部７４を介して互いに対向方向に押圧し合う。これにより、突出部１３ｔ，１３ｔの先端部分は丸くなるように弾性変形している。これにより、当接している突出部１３ｔ，１３ｔの当接面積は大きくなる。
【００９０】
図１８は、図１３の要部の拡大図である。図１９は、ソファー１００とパネル体１１とを連結する下側の第一連結部材の斜視図である。
【００９１】
図１３，図１８、図１９に示すように、ソファー１００の下部とパネル体１１の下部とは什器下連結部材（第一連結部材）８１を介して連結されている。
【００９２】
ここで、パネル体１１の下端部に設けられた溝２５には、下向きＵ字状に形成された什器部固定部材３０Ｄが嵌め込まれている。什器部固定部材３０Ｄは、互いに平行に配置された側部プレート部１３６，１３６と、側部プレート部１３６，１３６の上端どうしを一体に連結する連結プレート部１３７とを備えている。
【００９３】
什器下連結部材８１は、ソファー１００の座部１０２に設けられた支持プレート１０５に取り付けられる支持壁部８２と、支持壁部８２の端部から下方に向かって屈曲形成された屈曲壁部８３とを有している。
【００９４】
さらに、什器下連結部材８１は、屈曲壁部８３の端部から屈曲しパネル体１１の表皮材１４に沿って配置される上下壁部８４と、上下壁部８４の下端から屈曲しパネル体１１側の背面側に向かって伸びる下壁部８５とを有している。
【００９５】
さらに、什器下連結部材８１は、下壁部８５の端部からパネル体１１の前面側の側部プレート部１３６に沿って上方に向かって延びる上向き壁部８６と、上向き壁部８６の端部から対向する側部プレート部１３６に向かって屈曲する突出片８７とを有している。この突出片８７は、下側よりも上側の方が幅狭に形成されている。
【００９６】
什器下連結部材８１の支持壁部８２には、取付孔８２Ａが形成されている。この取付孔８２Ａに挿通されたネジ８２Ｚがソファー１００に設けられた支持プレート１０５の取付孔（不図示）に螺合されている。これにより、什器下連結部材８１は、ソファー１００に取り付けられている。
【００９７】
また、什器下連結部材８１において、上向き壁部８６は、パネル体１１の前面側の側部プレート部１３６に当接している。また、突出片８７の端部はパネル体１１の背面側の側部プレート部１３６に当接している。このようにして、上向き壁部８６及び突出片８７がパネル体１１の下部に設けられた什器部固定部材３０Ｄに嵌め込まれることで、上向き壁部８６及び突出片８７は、パネル体１１の什器部固定部材３０Ｄを上下方向に係止している。
【００９８】
このように、パネル体１１は、什器上連結部材７１および什器下連結部材８１を介して、ソファー１００の背面に取り付けられている。
【００９９】
次に、上記のように構成されたソファー１００とパネル体１１とを連結する手順を説明する。
【０１００】
まず、隣接するソファー１００同士を図示しない連結手段により幅方向に連結する。各ソファー１００に設けられた支持プレート１０５の下方に什器下連結部材８１の支持壁部８２を配置する。そして、ネジ８２Ｚを、支持壁部８２の取付孔８２Ａに挿通して、支持プレート１０５の取付孔に螺合させる。これにより、什器下連結部材８１が、ソファー１００に取り付けられる。
【０１０１】
一方、隣接するパネル体１１間に什器上連結部材７１を配置する。パネル体１１の直線部固定部材３０Ｓの突条３４Ｂと連結プレート部３２との間に、什器上連結部材７１の突起係合部７２を配置する。この状態で、パネル体１１同士を上記に示す下側連結部５５及び上側連結部６１により連結する。
【０１０２】
次に、互いに連結された３枚のパネル体１１を、ソファー１００に対して相対的に下方に移動させる。この時、什器下連結部材８１の突出片８７の上側は下側よりも幅狭に形成されているため、什器下連結部材８１の上向き壁部８６及び突出片８７はパネル体１１の
下端部に設けられた什器部固定部材３０Ｄ内に容易に入る。そして、上向き壁部８６及び突出片８７の上端が、什器部固定部材３０Ｄの連結プレート部１３７に当接することで、パネル体１１の下方への移動が止まる。この状態で、什器下連結部材８１の上向き壁部８６及び突出片８７は、パネル体１１の下端部に設けられた什器部固定部材３０Ｄを係止している。
【０１０３】
この状態で、什器上連結部材７１の上壁部７７及び湾曲壁部７８が背凭れ部１０３の上端部を上下方向に係止する位置まで、什器上連結部材７１を下方に移動させる。
【０１０４】
なお、パネル体１１をソファー１００から取り外す際には、什器上連結部材７１を上方に移動させる。次に、パネル体１１を上方に移動させ、什器下連結部材８１とパネル体１１の什器部固定部材３０Ｄとの係止を解除すればよい。
【０１０５】
（カウンターとパネル体との連結構造）
次に、カウンター２００とパネル体１１との連結構造について説明する。
図２０は、カウンター２００とパネル体１１との連結部分の構造を示す側面図である。図２１は、ソファーシステム１の後面図である。図２２は、カウンター２００とパネル体１１との連結部分の上部の構造のうち、隣接配置された複数のパネル体１１の端部の断面図である。図２３は、カウンター２００とパネル体１１との連結部分の上部の構造のうち、隣接配置された複数のパネル体１１の中間部分の断面図である。
【０１０６】
図２０から図２３に示すように、カウンター２００の上部とパネル体１１の上部とはカウンター上連結部材（第二連結部材）２２０，２３０を介して連結されている。
【０１０７】
カウンター上連結部材２２０は、３枚配置されたパネル体１１の左端及び右端に設けられている。３枚配置されたパネル体１１の左端に設けられたカウンター上連結部材２２０は、直線部固定部材３０Ｓの突条３４Ａに沿って配置される突起係合部２２１と、突起係合部２２１の端部から屈曲し突条３４Ｂ側に沿って配置される側壁部２２２とを有している。さらに、カウンター上連結部材２２０は、側壁部２２２の端部からカウンター２００が配置される側（後方）に向かって屈曲して延びる湾曲壁部２２３と、湾曲壁部２２３の端部に連続して延びる延出壁部２２４と、延出壁部２２４からカウンター２００側（後方）に向かって延びる取付壁部２２５と、を有している。
【０１０８】
突起係合部２２１は、突条３４Ａにおける溝２５の基部２１ｅを向く面に沿って配置されている。また、突起係合部２２１の端部は、突条３４Ａが設けられた側の側部プレート部３１Ａに突き当たっている。
【０１０９】
湾曲壁部２２３は、パネル体１１の外周端部１３ｓに沿って配置されている。また、延出壁部２２４は、カウンター２００が配置される側のパネル体１１の表皮材１４に沿って配置されている。
【０１１０】
側壁部２２２おいて、突条３４Ｂが設けられた側の側部プレート部３１Ｂを向く面には、緩衝部２２２Ａが設けられている。緩衝部２２２Ａは、側部プレート部３１Ｂに向かって凸となる形状とされるとともに、側部プレート部３１Ｂに当接している。緩衝部２２２Ａとして、ゴム等の樹脂を採用することができる。ここで、カウンター上連結部材２２０に対してカウンター２００側への力が作用した場合には、側壁部２２２には緩衝部２２２Ａがあるため、側壁部２２２の側部プレート部３１Ｂへの接触、衝突を抑制することができる。これにより、側壁部２２２及び側部プレート部３１Ｂの破損が抑制される。
【０１１１】
突起係合部２２１は突条３４Ａに当接しているため、カウンター上連結部材２２０は溝２５から抜ける方向の移動が規制される。また、突起係合部２２１の端部が側部プレート部３１Ａに突き当たっているため、カウンター上連結部材２２０はカウンター２００側と反対側（ソファー１００側）への移動が規制されている。また、側壁部２２２に設けられた緩衝部２２２Ａは側部プレート部３１Ｂに当接しているため、カウンター上連結部材２２０はカウンター２００側への移動が規制されている。このようにして、カウンター上連結部材２２０は、溝２５に配置された直線部固定部材３０Ｓに取り付けられている。
【０１１２】
取付壁部２２５には、左右方向に貫通する取付孔２２５Ａが複数形成されている。この取付孔２２５Ａから挿通された螺子２２５Ｚが、天板支持杆２０２に形成された取付孔２０２Ｂに螺合している。これにより、カウンター上連結部材２２０はカウンター２００の上部に取り付けられている。
なお、３枚のパネル体１１の右端に設けられたカウンター上連結部材２２０は、上記に示すカウンター上連結部材２２０を左右反転した構成であり、説明を省略する。
【０１１３】
図２３に示すように、カウンター上連結部材２３０は、３枚配置されたパネル体１１同士の間に設けられている。なお、カウンター上連結部材２３０の説明において、カウンター上連結部材２２０の構成と同様の構成については、同じ符号を付して説明を省略する。
【０１１４】
カウンター上連結部材２３０は、一方のパネル体１１の直線部固定部材３０Ｓの突条３４Ａに沿って配置される突起係合部２２１と、側壁部２２２と、を有している。さらに、カウンター上連結部材２３０は、側壁部２２２の端部から屈曲して、隣接するパネル体１１の外周端部１３ｓの間からカウンター２００が配置される側（後方）に向かって延びる延出壁部２３１と、延出壁部２３１の端部から支持脚２０１に沿って屈曲する屈曲壁部２３２と、屈曲壁部２３２の端部から後方に向かって延び、天板支持杆２０２に連結される取付壁部２３３と、を有している。
【０１１５】
このようにして、カウンター２００の上部は、カウンター上連結部材２２０，２３０を介してパネル体１１の上部に連結されている。
【０１１６】
図２４は、カウンター２００とパネル体１１との連結部分の下部の構造のうち、隣接配置された複数のパネル体１１の端部の断面図である。図２５は、カウンター２００とパネル体１１との連結部分の下部の構造のうち、隣接配置された複数のパネル体１１の中間部分の断面図である。
【０１１７】
図２４、図２５に示すように、カウンター２００の下部とパネル体１１の下部とはカウンター下連結部材（第二連結部材）２４０，２５０を介して連結されている。
【０１１８】
カウンター下連結部材２４０は、３枚配置されたパネル体１１の左端及び右端に設けられている。なお、カウンター下連結部材２４０の説明において、カウンター上連結部材２２０，２３０の構成と同様の構成については、同じ符号を付して説明を省略する。
【０１１９】
３枚配置されたパネル体１１の左端に設けられたカウンター下連結部材２４０は、一方のパネル体１１の支持脚体５０（図４参照。以下同じ。）の側部支持部５２（図４参照。以下同じ。）に沿って配置される取付壁部２４１と、取付壁部２４１の端部から屈曲して配置される側壁部２４２と、湾曲壁部２２３と、延出壁部２２４と、取付壁部２２５と、を有している。
【０１２０】
取付壁部２４１には、上下方向に離間して一対の螺子孔２４１Ａが形成されている。この螺子孔２４１Ａは、支持脚体５０の側部支持部５２に形成されたボルト挿通孔５４Ａ（図４参照。以下同じ。）及び溝２５の基部２１ｅに形成された雌ネジ孔部２９Ａと対応する位置に形成されている。
【０１２１】
カウンター下連結部材２４０の螺子孔２４１Ａに挿通された螺子２４１Ｚは、支持脚体５０の取付孔５４Ａに挿通されるとともに、溝２５の基部２１ｅの雌ネジ孔部２９Ａに螺合されている。これにより、カウンター下連結部材２４０は、溝２５に形成された基部２１ｅに取り付けられている。
【０１２２】
また、カウンター下連結部材２４０の取付壁部２２５の取付孔２２５Ａから挿通された螺子２２５Ｚが、前後杆２０３に形成された取付孔２０３Ｂに螺合している。これにより、カウンター下連結部材２４０はカウンター２００（図２０参照）の下部に取り付けられている。
なお、３枚のパネル体１１の右端に設けられたカウンター下連結部材２４０は、上記に示すカウンター下連結部材２４０を左右反転した構成であり、説明を省略する。
【０１２３】
カウンター下連結部材２５０は、３枚配置されたパネル体１１同士の間に設けられている。なお、カウンター下連結部材２５０の説明において、カウンター上連結部材２２０，２３０及びカウンター下連結部材２５０の構成と同様の構成については、同じ符号を付して説明を省略する。
【０１２４】
カウンター下連結部材２５０は、一方のパネル体１１の側部支持部５２に沿って配置される取付壁部２４１、側壁部２４２と、延出壁部２３１と、屈曲壁部２３２と、前後杆２０３に連結される取付壁部２３３と、を有している。
【０１２５】
このようにして、カウンター２００（図２０参照）の下部は、カウンター下連結部材２４０，２５０を介してパネル体１１の下部に連結されている。
【０１２６】
パネル体１１とソファー１００及びカウンター２００とが連結された状態において、図１，２に示すように、ソファー１００の背凭れ部１０３の後面１０３Ａとパネル体１１の前面１１Ｂとは、当接している。一方、カウンター２００の天板２０５の前端２０５Ａとパネル体１１の後面１１Ａとの間には、隙間Ｍ１が形成されている。
【０１２７】
また、ソファー１００とカウンター２００との間に設けられたパネル体１１は、ソファー１００の上部からカウンター２００の天板２０５の上方に突出するように設けられている。換言すると、着座空間Ｌ１と立位空間Ｌ２とを区画するパネル体１１は、その上端１１Ｔが、カウンター２００の天板２０５の上面２０５Ｔよりも上方に設けられている。
【０１２８】
また、ソファーシステム１において、パネル体１１により前方の空間であってソファーセット１０が配置された空間が、着座空間Ｌ１とされている。また、パネル体１１より後方の空間であってカウンター２００が配置された空間が、立位空間Ｌ２とされている。このように、パネル体１１により、着座空間Ｌ１と立位空間Ｌ２とが区画されている。
【０１２９】
このように構成されたソファーシステム１では、図２に示すように、利用者Ｒ１は、着座空間Ｌ１に配置されたソファー１００に着座して前方にあるスクリーンＳに映し出される映像を見ることができる。また、利用者Ｒ２は、立位空間Ｌ２に配置されたカウンター２００を利用して執務をすることができる。例えば、利用者Ｒ２は、カウンター２００の天板２０５に載置した電子機器Ｄを操作しつつ、前方にあるスクリーンＳの映像を見ることができる。つまり、ソファーシステム１では着座空間Ｌ１を利用する利用者Ｒ１と立位空間Ｌ２を利用する利用者Ｒ２とに対応することができるため、多くの利用者Ｒ１，Ｒ２の執務に容易に対応することができる。
【０１３０】
また、着座空間Ｌ１と立位空間Ｌ２とを区画するパネル体１１は、その上端１１Ｔが、カウンター２００の天板２０５の上面２０５Ｔよりも上方に設けられている。よって、カウンター２００に載置された物品（不図示。以下同じ。）がソファー１００側（前方）に移動しても、物品の移動がパネル体１１により抑制されるため、物品が誤ってソファー１００側に落下することが抑制される。よって、カウンター２００の利用者Ｒ２にとって、使い勝手を良好とすることができる。
【０１３１】
また、カウンター２００の天板２０５の前端２０５Ａとパネル体１１の後面１１Ａとの間には、隙間Ｍ１が形成されているため、利用者Ｒ２は、カウンター２００の天板２０５上に物品を載置する際には、隙間Ｍ１側から離間した場所、つまり天板２０５の後側に物品を載置する。よって、利用者Ｒ１から天板２０５上に載置した物品までの距離を確保することができ、利用者Ｒ１が意図せず物品に接触して、物品を落下させてしまうことを防止することができる。
【０１３２】
さらに、カウンター２００の天板２０５に載置した電子機器Ｄの配線（不図示。以下同じ。）を、天板２０５の前端２０５Ａから隙間Ｍ１を通して下方に配置することができるため、配線の露出を抑えることができる。
【０１３３】
また、利用者Ｒ２が電子機器Ｄを使用する際に、電子機器ＤのキーボードＤ１を操作する音、電子機器Ｄのファン（不図示）の音、電子機器Ｄの排熱等の利用者Ｒ２及び利用者Ｒ２が使用する機器から生じる音、振動、熱が発生する。本発明では、隙間Ｍ１を設けることにより、これらの音、振動、熱などが利用者Ｒ１側に伝達されることが抑制されるため、利用者Ｒ１は快適な環境で執務をすることができる。
【０１３４】
また、着座空間Ｌ１と立位空間Ｌ２とを区画するパネル体１１は、パネル状に形成され、その厚みを抑えることができるため、ソファー１００とカウンター２００とを近接させつつ区画することができる。よって、ソファーシステム１をコンパクトな構成とすることができる。
【０１３５】
また、什器上連結部材７１、什器下連結部材８１、カウンター上連結部材２２０，２３０及びカウンター下連結部材２４０，２５０がパネル体１１に形成された溝２５に取り付けられることで、パネル体１１とカウンター２００及びソファー１００とは連結される。什器上連結部材７１、什器下連結部材８１、カウンター上連結部材２２０，２３０及びカウンター下連結部材２４０，２５０が取り付けられる溝２５は、パネル体１１の外周端部に沿ってパネル体１１の内方に向けて凹むように形成されているため目立つことがない。よって、外観を良好とすることができる。
【０１３６】
また、平面視において、着座空間Ｌ１は、複数のパネル体１１が立位空間Ｌ２側に向かって膨らむように隣接配置されて形成されている。よって、着座空間Ｌ１は複数のパネル体１１により包まれるようにして形成されるため、着座空間Ｌ１の独立性、適度な閉塞感を確保することができる。
【０１３７】
また、利用者Ｒ１が振り返ってカウンター２００の天板２０５上を見ようとしても、パネル体１１により、利用者Ｒ２の手元が見られることはない。よって、利用者Ｒ２は利用者Ｒ１の視線を感じずに作業することができるため、利用者Ｒ２の作業性を良好とすることができる。
【０１３８】
また、利用者Ｒ２は、カウンター２００に対して立位姿勢で作業するのみならず、カウンター用チェアー２１０に着座して作業することもできる。
【０１３９】
さらに、図２に破線で示すように、パネル体１１の上部に上部パネル１１Ｐを設けることにより、利用者Ｒ２の視角Ｔ１に利用者Ｒ１が入らない。よって、利用者Ｒ２はスクリーンＳを見る際に利用者Ｒ１が邪魔にならないとともに、利用者Ｒ１が振り返っても利用者Ｒ２は利用者Ｒ１に見られることがない。よって、利用者Ｒ１，Ｒ２にとって良好な環境を提供することができる。なお、上部パネル１１Ｐを設けずに、パネル体１１を利用者Ｒ２の視角Ｔ１に利用者Ｒ１が入らない高さまで設ける構成であってもよい。
【０１４０】
これ以外にも、本発明の主旨を逸脱しない限り、上記実施の形態で挙げた構成を取捨選択したり、他の構成に適宜変更したりすることが可能である。
【０１４１】
例えば、背凭れ部１０３及びクッション１０４を設けずに、パネル体１１を背凭れとして機能させる構成であってもよい。この場合には、パネル体１１が背凭れを兼ねているため、部品点数を抑えることができる。
【０１４２】
また、上記に示す実施形態においては、区画部は隣接配置された３枚のパネル体１１により構成されているが、本発明はこれに限られない。例えば、区画部は１，２枚または４枚以上のパネル体１１により構成されていてもよい。さらには、区画部が、パネル状に形成された部材ではなく、前後方向にパネル体１１よりも厚みのある棚等の什器により構成されていてもよい。
【０１４３】
また、上記に示す実施形態においては、３枚のパネル体１１は、平面視において、立位空間Ｌ２側に膨らむように配置されているが、本発明はこれに限られない。例えば、平面視において、パネル体１１が直線状に配置されていてもよく、あるいは着座空間Ｌ１側に膨らむように配置されていてもよい。
【０１４４】
また、上記に示す実施形態においては、区画部を構成する３枚のパネル体は、床面からカウンター２００の天板２０５の上方にわたって配置されているが、本発明はこれに限られない。例えば、区画部が、椅子の上部から天板の上方にわたって少なくとも配置されていればよく、ソファー１００の背凭れ部１０３の上部から延びるように構成されていてもよい。
【０１４５】
また、上記に示す実施形態においては、カウンター２００の天板２０５の前端２０５Ａとパネル体１１の後面１１Ａとの間には、隙間Ｍ１が形成されているが、本発明はこれに限られない。隙間Ｍ１が形成されずに、カウンター２００の天板２０５の前端２０５Ａがパネル体１１の後面１１Ａに当接する構成であってもよい。この場合には、椅子システムを前後方向にコンパクトな構成とすることができる。
【符号の説明】
【０１４６】
１  ソファーシステム
１１  パネル体（区画部）
１２  パネル基材
１３  クッション材
１３ｅ，１４ｅ  外周端部
１３ｔ  突出部
１４  表皮材
１５  芯材
１５ｈ  孔
１６  貫通孔
１６ｖ  角部
１６ｆ  内周面
１７  凹部
１８  ベースシート
２０  フレーム
２５  溝
３０  固定部材
３０Ｃ  コーナー部固定部材
３０Ｄ  什器部固定部材
３０Ｓ  直線部固定部材
５０  支持脚体
５１  下部支持部
５２  側部支持部
５３  支持脚部
５５  下側連結部
５７  スリット
６１  上側連結部
７１  什器上連結部材（第一連結部材）
７２  突起係合部
８１  什器下連結部材（第一連結部材）
１００  ソファー（椅子）
１０１  脚部
１０２  座部
１０３  背凭れ部
１０５  支持プレート
２００  カウンター
２２０，２３０  カウンター上連結部材（第二連結部材）
２４０，２５０  カウンター下連結部材（第二連結部材）
Ｋ  間隙部
Ｌ１  着座空間
Ｌ２  立位空間
Ｍ１  隙間
Ｓ１  空間
Ｓ２  空間
【図１】
0006478386.tif 000002
【図２】
0006478386.tif 000003
【図３】
0006478386.tif 000004
【図４】
0006478386.tif 000005
【図５】
0006478386.tif 000006
【図６】
0006478386.tif 000007
【図７】
0006478386.tif 000008
【図８】
0006478386.tif 000009
【図９】
0006478386.tif 000010
【図１０】
0006478386.tif 000011
【図１１】
0006478386.tif 000012
【図１２】
0006478386.tif 000013
【図１３】
0006478386.tif 000014
【図１４】
0006478386.tif 000015
【図１５】
0006478386.tif 000016
【図１６】
0006478386.tif 000017
【図１７】
0006478386.tif 000018
【図１８】
0006478386.tif 000019
【図１９】
0006478386.tif 000020
【図２０】
0006478386.tif 000021
【図２１】
0006478386.tif 000022
【図２２】
0006478386.tif 000023
【図２３】
0006478386.tif 000024
【図２４】
0006478386.tif 000025
【図２５】
0006478386.tif 000026